(57)【要約】【課題】  改良された芳香装置を提供する。【解決手段】  特に自動車用の芳香装置であって、ハウジングと、そのハウジング内に設けられた収容部内に配置された、香料が収容されている少なくとも１つのパトローネと、空気が芳香装置のハウジングに達することができる入口開口部と、香料を空気に混合することができる混合室と、香料に混合された空気が外部に達することができる出口開口部と、香料が収容部から混合室に流出することを少なくとも１つの位置で阻止する少なくとも１つの作動可能な遮断装置とを有する芳香装置であって、入口開口部の領域におよび／または入口開口部と混合室との間に、運動量発生装置が設けられている芳香装置が提供される。【選択図】      図１
2010531765.tif 000002
【特許請求の範囲】
【請求項１】
芳香装置、特に車両用の芳香装置であって、ハウジング（３）と、前記ハウジング（３）内に設けられた収容部（４）内に配置された、香料（Ｄ１またはＤ２）が収容されている少なくとも１つのパトローネ（２、２００、３００）と、空気が前記芳香装置（１）の前記ハウジング（３）に達することができる入口開口部（５）と、前記香料（Ｄ１および／またはＤ２）を前記空気に混合することができる混合室（６）と、前記香料（Ｄ１および／またはＤ２）に混合された前記空気が外部に達することができる出口開口部（７）と、前記香料（Ｄ１および／またはＤ２）が前記収容部（４）から前記混合室（６）に流出することを少なくとも１つの位置で阻止する少なくとも１つの作動可能な遮断装置とを有する芳香装置において、前記入口開口部（５）の領域に、および／または前記入口開口部（５）と前記混合室（６）との間に、運動量発生装置（１４）が設けられていることを特徴とする芳香装置。
【請求項２】
前記運動量発生装置（１４）が、回転可能な回転ホイール（１３）および／または固定された案内羽根によって形成されていることを特徴とする請求項１に記載の芳香装置。
【請求項３】
前記１つまたは複数のパトローネ（２、２００、３００）用の前記収容部（４）が引き出し式に形成されていることを特徴とする請求項１または２に記載の芳香装置。
【請求項４】
前記ハウジング（３）には、シールのために前記パトローネ（３２、２３２、３３２）の面に当接する１つまたは複数のシールリップ（１９）が配置されていることを特徴とする請求項３に記載の芳香装置。
【請求項５】
前記収容部（４）にはばね荷重が加えられていることを特徴とする請求項３に記載の芳香装置。
【請求項６】
前記１つまたは複数のパトローネ（２、２００、３００）用の前記収容部（４）が、前記運動量発生装置（１４）の反対側の前記混合室（６）の側面に配置されていることを特徴とする請求項１〜５のいずれか１項に記載の芳香装置。
【請求項７】
前記遮断装置が前記収容部（４）と前記混合室（６）との間に配置されていることを特徴とする請求項１〜６のいずれか１項に記載の芳香装置。
【請求項８】
前記遮断装置が弁（８）によって形成されており、前記弁（８）の揺動軸（９）が、特に、前記収容部（４）の挿入方向に平行に延びることを特徴とする請求項１〜７のいずれか１項に記載の芳香装置。
【請求項９】
前記遮断装置が、開口部を設けた互いに移動可能な２つの要素によってまたはシャッタ弁によって形成されていることを特徴とする請求項１〜７のいずれか１項に記載の芳香装置。
【請求項１０】
特に、請求項１〜９のいずれか１項に記載の芳香装置に使用するための、香料を遊離するためのパトローネ（２、２００、３００）であって、基部（３１、２３１、３３１）と、カバー部（３２、２３２、３３２）と、香料、または香料を有する香料キャリアが収容されている室を囲む、前記基部と前記カバー部とを接続する側壁（３３、２３３、３３３）とを備えるパトローネ（２、２００、３００）であって、前記カバー部（３２、２３２、３３２）には、香料が流出することができる１つまたは複数の開口部（３４、２３４、３３４）が設けられているパトローネ（２、２００、３００）。
【請求項１１】
前記カバー部（３２、２３２、３３２）の前記開口部（３４、２３４、３３４）の総面積が、前記カバー部（３２、２３２、３３２）の面積の８０％未満、好ましくは７０％未満、特に好ましくは６０％未満、特に５０％未満であることを特徴とする請求項１０に記載のパトローネ。
【請求項１２】
前記カバー部には、好ましくは囲むように縁部領域に延びるシールリップ（３０）が配置されていることを特徴とする請求項１０または１１に記載のパトローネ。
【請求項１３】
対向する２つの側壁（３３、２３３、３３３）が正確に平行に延びず、特に、０．５〜２ｍｍの平行度のずれを有することを特徴とする請求項１０〜１２のいずれか１項に記載のパトローネ。
【請求項１４】
少なくとも１つの側壁（３６、２３６、３３６）が取り外し可能であるかあるいは前記カバー部または基部に揺動可能に形成されていることを特徴とする請求項１０〜１３のいずれか１項に記載のパトローネ。
【請求項１５】
前記パトローネ（２、２００、３００）が、支持位置または運搬位置において、フック状の縁部（２４２、３４２）を備えかつ前記カバー部（２３２、３３２）の対応する突出部（２４３、３４３）を囲むカバー（２４１、３４１）によって閉鎖されていることを特徴とする請求項１０〜１４のいずれか１項に記載のパトローネ。
【発明の詳細な説明】
【技術分野】
【０００１】
本発明は、特に車両用の芳香装置であって、ハウジングと、前記ハウジング内に設けられた収容部内に配置された、香料が収容されている少なくとも１つのパトローネ（カートリッジとも称し得る）と、空気が前記芳香装置の前記ハウジングに達することができる入口開口部と、前記香料を前記空気に混合することができる混合室と、前記香料に混合された前記空気が外部に達することができる出口開口部と、前記香料が前記収容部から前記混合室に流出することを少なくとも１つの位置で阻止する少なくとも１つの作動可能な遮断装置とを有する芳香装置において、前記入口開口部の領域に、および／または前記入口開口部と前記混合室との間に、運動量発生装置が設けられている芳香装置、および芳香装置に使用するための、香料を遊離するためのパトローネであって、基部と、カバー部と、香料、または香料を有する香料キャリアが収容されている室を囲む、前記基部と前記カバー部とを接続する側壁とを備えるパトローネであって、前記カバー部には、香料が流出することができる１つまたは複数の開口部が設けられているパトローネに関する。
【背景技術】
【０００２】
特に、配量装置で自動車を芳香するための、香料を収容する芳香装置が、特許文献１から知られており、この場合、芳香装置は、少なくとも１つの開口部が設けられている少なくとも１つの中空体と、少なくとも１つの別の開口部を有する要素、特に中空体とを含む。ここで、中空体と要素との間の相対移動が可能であるように、モータによって、中空体および／または要素を駆動することができ、その結果、両方の開口部は、相対移動の少なくとも１つの位置で内部から外部への香料の流出を可能にする。香料自体は、必要に応じて交換可能である香料パトローネすなわち香料カートリッジの中空体内に配置されている。
【０００３】
他の芳香装置が特許文献２から知られている。この芳香装置では、軸方向に互いに配置された２つの中空シリンダが、本質的に中空シリンダとして形成されたハウジングに回転可能に収容されている。ハウジングを形成する中空シリンダは、互いに反対側の側面の外面に、長手方向に延びる２つの矩形状の開口部を備え、前記外面のそれぞれは、少なくとも内部中空シリンダの部分領域にわたって延びる。内部中空シリンダも、それらの外面に、互いに反対側のそれぞれ２つの開口部を備えるが、前記外面は、階段状に形成されており、すなわち、３つの形状のそれぞれは、その長さの半分だけ互いにずれて配置され、長く延び、それと共に、共通の開口部を形成する矩形を有する。内部中空シリンダの開口部は互いに回転するように配置されており、その結果、種々の芳香形態が可能である。
【０００４】
特許文献３は、回転可能にハウジング内に配置されている複数の部分に分割された中空シリンダを有する芳香システムを開示しており、この場合、セグメントの大きさにおいて、中空シリンダの少なくとも１つのケーキ状の部分が欠けており、このため、中空シリンダは以下において部分中空シリンダと呼ばれる。セグメントのそれぞれは前面が開放されており、セグメントの各々には、他の香料が収容されている。ハウジングにおいて、部分中空シリンダの軸方向の一方または両方の側面には、セグメントの断面形状にほぼ対応する開口部が形成されている。室を芳香するために、所望の香りを含むセグメントが開放前に回転される。芳香が望まれない場合には、欠けているセグメントが開放前に回転される。室のより強い芳香を可能にするために、ファンを設けることもことができ、このファンにより、空気が、第１の開口部を介してハウジング内に入り、部分中空シリンダを貫流した後に、反対側の第２の開口部を介して、芳香すべき室に供給される。
【０００５】
このような芳香装置／システムはさらに要望が高まっている。
【先行技術文献】
【特許文献】
【０００６】
【特許文献１】独国特許出願公開第１０３２７１２２Ａ１号明細書
【特許文献２】米国特許第５，３１４，６６９Ａ号明細書
【特許文献３】米国特許第５，１７８，３２７Ａ号明細書
【発明の概要】
【発明が解決しようとする課題】
【０００７】
本発明の課題は、改良された芳香装置を提供することである。
【課題を解決するための手段】
【０００８】
この課題は、請求項１に記載の特徴を有する芳香装置によって解決される。有利な形態は従属請求項の対象である。
【０００９】
この場合、特に自動車用の芳香装置であって、ハウジングと、そのハウジング内に設けられた収容部内に配置された、香料が収容されている少なくとも１つのパトローネと、空気が芳香装置のハウジングに達することができる入口開口部と、香料を空気に混合することができる混合室と、香料に混合された空気が外部に達することができる出口開口部と、香料が収容部から混合室に流出することを少なくとも１つの位置で阻止する少なくとも１つの作動可能な遮断装置とを有する芳香装置であって、入口開口部の領域におよび／または入口開口部と混合室との間に、運動量発生装置が設けられている芳香装置が提供される。
【００１０】
このような芳香装置は、好ましくは車両の計器盤の領域に配置されており、特に好ましくは空気流出装置に隣接している。空気流出装置は例えば中央ノズルであることができ、その結果、香料は車内の車両前部領域の中央に達し、そこから分配される。特に好ましくは、芳香装置は入口開口部を介して、空気流出装置に通じる空気通路に接続されているので、空気は空気通路から芳香装置に直接流入することができ、ここで、空気は、出口開口部を介して再び芳香装置から出る前に、対応する香料と混合されることができる。この場合、出口開口部は、好ましくは、空気流出装置から分離して形成されているが、その近傍に配置されている。有利には、入口開口部のための空気通路の形成を省略することができる。次に、空気は、入口開口部を介して、取付空間の周り、例えば計器盤の内部の領域から芳香装置に直接流入することができる。
【００１１】
運動量発生装置は、好ましくは、回転可能な回転ホイールおよび／または固定された案内羽根である。この運動量発生装置は、芳香装置の混合室への空気の回転流入のために使用され、その結果、香料は迅速に流入空気と混合される。回転ホイールが設けられている場合、それは特に好ましくは自由に回転するように支持されており、この場合、流入空気は、駆動部として用いられ、すなわち、ある種の空気ホイールとして形成されている。さらに、例えば電動モータによって、回転ホイールを駆動することができる。特に、別個の空気通路なしに、空気が芳香装置の入口開口部に供給される場合、電動モータで作動されたファンは、有利には、取付箇所の周りから周囲空気を吸入して転送する必要がある。
【００１２】
貯蔵している香料を交換するためのまたは空のパトローネを交換するための特に簡単なパトローネの交換のために、１つまたは複数のパトローネ用の収容部は、特に好ましくは引き出し式に形成されている。特に好ましくは、収容部にばね荷重が加えられているので、収容部の前面を押圧した後、その収容部は自動的に開放し、１つまたは複数のパトローネにアクセスすることができる。
【００１３】
有利には、ハウジングには、１つまたは複数のシールリップが配置されており、これらのシールリップは、シールを行うために、収容部に挿入されたパトローネの面に当接する。パトローネの上面と、その上方にあるハウジングとの間の室は、特に、遮断装置と協働して密封閉鎖することができる。その代わりにまたはそれに加えて、収容部には、対応するシールリップを設けることもでき、次に、これらのシールリップは、シールするようにハウジングに当接する。
【００１４】
１つまたは複数のパトローネ用の収容部は、好ましくは、運動量発生装置の反対側の混合室の側面に配置されている。このことにより、空気の流入および空気の流出を考慮しつつも、計器盤の既存の構造空間の優れた空間利用が可能になる。
【００１５】
香料の意図しない流出を防止すべきである遮断装置が、好ましくは、収容部と混合室との間に配置されている。このようにして、出口開口部の遮断装置を省略することができる。
【００１６】
遮断装置は、好ましくは弁によって形成されており、この場合、弁の揺動軸は、好ましくは収容部の挿入方向に平行に延びる。
【００１７】
代わりに、遮断装置は、任意の他の要素によって、例えば、少なくともそれぞれ１つの開口部が設けられた互いに移動可能な２つの要素、特に、複数の開口部が設けられた互いに移動可能な２つの要素によって形成してもよい。例えば、つり上げ磁石によって作動を行うことができる。さらに、いわゆるシャッタ弁によって遮断装置を形成することができる。
【００１８】
本発明の別の対象は、特に芳香装置に使用するための、香料を遊離するためのパトローネまたはカートリッジを形成する。パトローネは、基部と、カバー部と、香料、またはそれを有する香料キャリアが収容されている室を囲む、基部とカバー部とを接続する側壁とを備え、この場合、カバー部には、香料が流出することができる１つまたは複数の開口部が設けられている。有利には、開口部はスリット状、円形状またはＳ字状に形成されている。
【００１９】
好ましくは、カバー部の開口部の総面積は、カバー部の面積の８０％未満、好ましくは７０％未満、特に好ましくは６０％未満、特に５０％未満であり、この場合、値は２０％〜３０％を下回るべきではない。したがって、芳香装置のパトローネの収容穴が、意図せずにより長い時間開放されている場合には、香料の多すぎる流出が防止される。
【００２０】
パトローネの別の有利な実施形態では、カバー部に１つまたは複数のシールリップが配置されており、特に射出成形されている。好ましくは、シールリップは、囲むようにカバー部の縁部領域に延び、そしてカバー部の開口部に延びる。芳香装置の使用時、装置のハウジング領域における対応する当接において、気密接続を実現することができる。
【００２１】
本発明の別の有利な実施形態では、反対側の少なくとも２つのパトローネの側壁は正確に平行に延びずに形成されており、特に、合計０．５〜３ｍｍ、好ましくは０．５ｍｍ〜２ｍｍの平行度のずれを有する。反対側の側壁の長さにわたって、このことは、側壁の対応する標準間隔が上記範囲の変化を有し、この場合、好ましくは、側壁の間隔が、長手方向に見て、互いに中央で最大値になり、両方の端部領域で最小値になることを意味するとみなす。このようにして、パトローネの膨らんだプロファイルが得られ、このプロファイルは、端部では、芳香装置の収容穴への挿入を容易にし、中央では、クランプ固定を可能にする。このため、収容穴は、好ましくは平行な収容部の壁を備え、それらの壁の標準間隔は両方の側壁の間隔の最大値未満であり、その結果、パトローネ用の対応するクランプ固定部が形成される。その代わりにまたはそれに加えて、収容部のクランプ固定を改善するために、側面には複数の凹部を設けることもできる。
【００２２】
好ましくは、少なくとも１つの側壁が取り外し可能であるか、あるいはカバー部または基部が揺動可能に形成されている。特に、揺動可能に配置された側壁の場合、フィルムヒンジによって、一体の接続部にカバー部または基部が設けられている。対応する側壁を取り外すかまたは揺動させることによって、香料のまたは香料キャリアの簡単な交換または取り替えを行うことができる。代わりに、カバー部または基部は、取り外し可能または揺動可能に形成されてもよく、香料の交換に関する対応する機能を実現する。
【００２３】
支持位置または運搬位置において、すなわち、パトローネが芳香装置に挿入されていない状態において、パトローネは、フック状の縁部を備え、かつ対応する突出部でカバー部に係合するカバーによって閉鎖されている。代わりに、剥ぎ取りフィルムによって、封止部を形成してもよい。この場合、カバーによる封止は、中間軸受の規定通りの使用に従って、パトローネを再び閉鎖することができるという利点を有する。
【００２４】
複数の形態を有する実施例を参照して、部分的に図面を参照して、本発明について以下に詳細に説明する。
【図面の簡単な説明】
【００２５】
【図１】本実施例による芳香装置の斜視図である。
【図２】カバーなしの図１の芳香装置の他の斜視図である。
【図３】車両の計器盤に取り付けられた状態で見た前部の芳香装置の正面図である。
【図４】閉鎖状態および開放状態で示されている収容部を有する芳香装置の側面図である。
【図５】図４の線Ａ−Ａに沿った断面図である。
【図６】引き出された収容部と、空気の流れを示すための矢印とを有する図５の線Ｂ−Ｂに沿った断面図である。
【図７】図４の線Ｃ−Ｃに沿った断面図である。
【図８】図７に対応するカバーなしの平面図である。
【図９】図５の線Ｄ−Ｄに沿った断面図である。
【図１０】図９の線Ｅ−Ｅに沿った断面図である。
【図１１】遮断装置の形態について、開放された遮断装置を有する形態の断面図である。
【図１２】図１１に対応する、閉鎖された遮断装置を有する形態の図である。
【図１３】図６と同様の図面の、引っ込められた収容部を有する芳香装置の第２の実施例の断面図である。
【図１４】図１３と同様の、引き出された収容部を有する第２の実施例の断面図である。
【図１５】図１３と同様の、ハウジングにシールリップを有する第２の実施例の断面図である。
【図１６】ハウジングが切り取られて、収容部なしに示されている第２の実施例による芳香装置のハウジングの裏面図である。
【図１７】第１の実施例によるパトローネの斜視図である。
【図１８】第２の実施例によるパトローネの斜視図である。
【図１９】カバーを有する第２の実施例によるパトローネの断面図である。
【図２０ａ】カバーを有する第２の実施例によるパトローネの斜視図である。
【図２０ｂ】第２の実施例によるパトローネ用のカバーの上面斜視図である。
【図２０ｃ】第２の実施例によるパトローネ用のカバーの裏面斜視図である。
【図２１】第３の実施例によるパトローネの斜視図である。
【図２２】第３の実施例によるパトローネの平面図である。
【図２３ａ】図２２の視野方向Ａによるパトローネの図である。
【図２３ｂ】図２３ａの線Ｆ−Ｆに沿った断面図である。
【図２４ａ】カバーを有する第３の実施例によるパトローネの側面図である。
【図２４ｂ】カバーを有する第３の実施例によるパトローネの正面図である。
【図２４ｃ】図２４ａの線Ｈ−Ｈに沿った断面図である。
【図２４ｄ】図２４ｂの線Ｇ−Ｇに沿った断面図である。
【図２４ｅ】図２４ａの線Ｉ−Ｉに沿った概略断面図である。
【発明を実施するための形態】
【００２６】
本発明では、それぞれ１つのカートリッジとも称し得るパトローネ２に収容された２つの香料Ｄ１またはＤ２を選択して、香料を車内に芳香するための芳香装置１は、本質的に多部品のプラスチック射出成形部によって形成されている略直方体状のハウジング３と、両方のパトローネ２用の、ハウジング３に挿入可能な引き出し式に形成された収容部４とを備える。さらに、ハウジング３は、有孔プレートによって閉鎖された入口開口部５と、ハウジング３の内部に配置された混合室６と、出口開口部７とを備える。取り付けられた状態で見た前部はパネルによって覆われており、このパネルは、車内の内装に合わせられており、この内装において、出口開口部７は、並んで配置された４つの開口部の形状に連続している。同様に、収容部４の前面が車内の内装に相応に合わせられている。
【００２７】
芳香装置１は、本発明において、車両の計器盤の空気流出装置（図示せず）の直近に配置されている。この場合、空気は、空気流出装置に通じる空気通路（図示せず）から、短い通路部を介して、または本発明で意図されるように、有孔プレートにより閉鎖された入口開口部５の空気通路の壁の開口部を直接介して、芳香装置１のハウジング３内に達することができ、ここで、空気は、ハウジング３内に配置された混合室６内の対応する香料Ｄ１またはＤ２と混合し、その香料と共に、小さな出口開口部７を介して車内に達する。空気通路による接続を省略することもでき、その結果、換気または周囲空気は、入口開口部５を直接介して芳香装置１のハウジング３内に達する。空気流出装置を介して流出する空気により、その空気に隣接して流出すると共に香料Ｄ１および／またはＤ２と混合された空気が車内に迅速に分配される。収容部４内に配置されたパトローネ２は、遮断装置として使用される混合室６の弁８によって分離することができる。弁８は、収容部４の挿入方向に平行に延びる揺動軸９を中心に揺動することができる。弁８は、本発明において、ステップモータ１０の制御運動がギヤ１１を介して伝達されるステップモータ１０により作動させることができる。ステップモータ１０は、ハウジング３に形成されている電気コンセント１２を介して回路および制御部に接続することができる。弁８の作動は、本発明において、意図された制御に基づき本質的に互いに独立して行われ、すなわち、両方の弁を閉鎖または開放することができるか、あるいは一方のみの弁を開放し、他方の弁を閉鎖することができる。本実施例によれば、弁の中間位置は設けられておらず、すなわち、弁８は完全に開放または完全に閉鎖されている。
【００２８】
本実施例の形態によれば、収容部４内の２つのパトローネ２、およびハウジング３内の２つの弁８の位置には、唯一のパトローネおよび唯一の弁が設けられている。本実施例の別形態によれば、収容部内には３つのパトローネが設けられており、ハウジング内には３つの弁が設けられており、その結果、３つの香料と、連続的に調整可能な弁の場合には、それに対応して多数の混合物／混合比とを利用することができる。
【００２９】
混合室６の機能を向上させるために、および空気通路に流入する空気の運動エネルギーを利用するために、有孔プレートによって閉鎖された入口開口部５と混合室６との間の領域には、回転ホイール１３（本発明では、電気的に駆動されるアキシャルファン）が配置されており、この回転ホイール１３は、その回転運動の追加の運動量によって、流入する空気を移動させ、この空気は、香料Ｄ１またはＤ２と、流入された空気との混合を改善し、すなわち、回転ホイール１３は運動量発生装置１４として使用される。
【００３０】
また、混合室への流入は、直線的に向けられた流れで行うことができ、この場合、安全のために案内プロファイルが設けられている。
【００３１】
芳香は連続して行うことができ、すなわち、対応する香料Ｄ１またはＤ２に対する弁８は、全ての芳香時間にわたって開放されている。代わりに、特に依存効果を回避するために、弁を規則的に開放してもよい。弁８の制御運動は上記のように制御モータ１０によって行われ、その制御モータ１０の駆動運動は、ギヤ１１を介して効率的に変換されて、弁８の１つまたは複数のシャフトに伝達される。
【００３２】
代替実施形態によれば、自由に回転可能な回転ホイールの位置には、対応して配置された案内羽根が設けられており、この案内羽根は運動量発生装置１４としての機能を引き受ける。
【００３３】
ハウジング３の外側面には、計器盤への簡単な取り付けおよび固定に使用されるそれぞれ１つのばねアーム１５および案内部１６が形成されている。このようにして、外形寸法を規格化することができ、すなわち、異なる芳香装置を、計器盤の対応する開口部に使用することができる。パネルの簡単な交換によって、前部を計器盤に合わせることができる。
【００３４】
代わりに、上記実施例によればステップモータによって作動可能な弁８により形成されている遮断装置は、図１１および図１２に示したように、互いに移動可能な２つのスリット付き板１７によって形成することができ、この場合、スリット幅は最大でフレーム幅と同様の長さであるので、開口部の完全な相互閉鎖が可能である。応力を加えることができるつり上げ磁石１８によって、作動を行うことができ、その結果、このつり上げ磁石１８は、２つの板１７の一方を他方に対して長手方向に移動させ、この一方の板は、香料Ｄ１が配置されている収容部の上方で確実に位置決めされている。その他の点において、芳香装置の形態は上記芳香装置１に対応する。
【００３５】
金属板の代わりに、対応して形成されたプラスチックプレート、または他の適切な材料からなるプレートを設けることもできる。
【００３６】
スリットの代わりに、孔等を板またはプレートに設けることもでき、これらの孔は、開放状態では、互いに面一であるが、閉鎖状態では、他の要素の閉鎖された面によってそれぞれ覆われる。
【００３７】
遮断装置の図面に示していない変形例によれば、弁としてシャッタ弁が設けられており、このシャッタ弁は、開放状態では他の開口部と面一であるが、閉鎖状態では、対向する面によってそれぞれ覆われている開口部を有する。さらに、香料Ｄ１および／またはＤ２毎の単一の弁の位置には、複数のより小さな弁を設けることができる。このことにより、中間状態において、弁の１つのみの部分が開放されることで、香料の遊離のより細かい配量が可能になる。
【００３８】
パトローネ２を簡単に交換できるようにするために、収容部４は、挿入方向のばね（図示せず）の前端に配置されており、このばねは、収容部４の前面への押圧によるロックの解除において、収容部４を自動的に押し出し、このようにしてパトローネ２を解放する。再び、収容部４が挿入されると、収容部４をハウジング３内に自動的にロックする。他の構造的解決策も可能である。
【００３９】
図１３および図１４には、機能構成において第１の実施例にほぼ対応する芳香装置の第２の実施例が示されている。同じまたは同様の構成を有する機能的に同様に作用する全ての構成要素には、第１の実施例の説明と同じ参照番号が付されている。図１３において、香料を収容するパトローネ２用の引き出し式に形成された収容部４が、ハウジング３に挿入された位置に示されている。パトローネ２を交換するために、収容部４がハウジングから外側に移動される。このことは、有利には、第１の実施例で説明したように、収容部４の前面への押圧によってロックを解除することにより行われる。この場合、収容部４が、収容部の前面壁を押圧するばねによって自動的に押し出され、パトローネ２が解放される。特に図１４に見られるように、収容部４の底面には放出ばね２０が配置されており、この放出ばね２０は、引き出された状態においてパトローネ２を斜め上方に持ち上げ、このようにして、パトローネ２のより容易な取り出しを可能にする。代わりに、対応するばね２０をパトローネ２自体に設けてもよい。
【００４０】
図１５は、図１３の図面と同様の第２の実施例の断面図を示している。この場合、芳香装置の右上部のアクチュエータおよび駆動ユニットは省略してある。収容穴４を有するパトローネ２が挿入されるハウジング３の領域には、シールリップ１９が形成されている。放出ばね２０は、シールリップ１９に対してパトローネ２の上部またはカバー部３２を押圧し、前記シールリップ１９は、収容部４の挿入位置で、囲むようにパトローネのカバー部３２に隣接して、この開口部を閉鎖するように形成されており、その結果、パトローネ２とハウジング３との間のシールが保証されている。図１６には、ハウジング３の切取裏面図において、囲むように形成されたシールリップ１９が明確に示されている。矩形状のパトローネに応じて、シールリップ１９も矩形状に延びて形成されており、この場合、角部は面取りされている。
【００４１】
図１７には、香料を収容し、かつ芳香装置に使用するために設けられているパトローネ２またはカートリッジの第１の実施例が示されている。パトローネは、基部３１、カバー部３２、および基部とカバー部とを接続する側壁３３を備え、これらの側壁は、香料、またはそれを有する香料キャリアが収容されている室を囲む。パトローネ２はほぼ直方体状に形成されている。カバー部３２はスリット状の開口部３４を備え、この場合、開口部の間のフレーム３５、および開口部自体は、強度上および製造上の理由から、１ｍｍの幅よりも小さくならない。基部３１および側壁３３等の他の全ての壁は閉鎖されており、すなわち開口部なしに形成されている。カバー部３２には周辺シールリップ３０が設けられており、この周辺シールリップ３０は、芳香装置の対応するハウジング部材と協働し、外部への所望でない香料の流出を防止する。芳香装置の第２の実施例のように、対応するシールリップ１９がハウジングに形成されている場合には、パトローネ２のシールリップ３０を省略することもできる。
【００４２】
パトローネ２００の第２の実施例では、側壁２３３は弁壁２３６として形成されている。弁壁２３６は、フィルムヒンジ２３８によってパトローネ２００の基部２３１に一体的および一体に接続されており、香料または香料キャリアを交換するために開放することができる。図１８には、弁壁２３６のこのような開放位置が示されている。弁壁の内面には、矩形状に延びるフレーム２３７が設けられており、そのフレーム２３７の端部領域には突出部２３９があり、この突出部２３９は、パトローネの閉鎖時、弁壁２３６を上方に折り畳むことによって、同様に囲むようにパトローネの内部に形成されているストリップ２４０に係合する。パトローネ２００全体は、射出成形法で、特に有利には一体的および一体に製造することができる。
【００４３】
図１９による支持位置または運搬位置において、すなわち、パトローネが芳香装置に挿入されていない状態において、パトローネは、フック状の縁部２４２を備え、かつ対応する突出部２４３でカバー部２３２に係合するカバー２４１によって閉鎖されている。カバー２４１のフック状の縁部２４２も、カバー部２３２の突出部２４３も、優れたシールを行うために囲むように形成されている。シールをさらに改善するために、カバー２４１の裏面にはリブ２４４が設けられており、これらのリブ２４４の形状は、カバー部２３２の開口部２３４に適合されており、ここに突出する。この場合、リブは、僅かに円錐状に形成されているので、シールするように開口部２３４に当接し、フック状の縁部２４２と突出部２４３とを接続することによってこれらに押圧される。カバー表面は僅かに内側に湾曲して形成されているので、荷重下において、カバー部の１つまたは複数の突出部２４３へのフック状の縁部２４２のロックが可能である。図示していない代替実施形態によれば、選択された開口部２３４のためにのみ、例えば、両方の縁側の開口部２３４のためにのみ、リブ２４４が設けられている。
【００４４】
図２０ａは、カバー２４１を有する第２の実施例によるパトローネ２００の斜視図を示している。図２０ｂには、カバー２４１の平面斜視図が示されている。この場合、周縁に注目されたい。図２０ｃには、カバー２４１の裏面斜視図が示されている。フック状の周縁２４２はほぼ矩形状に延びて形成されており、この場合、対応する角部は面取りされている。内部領域には、開口部２３４に収容するための円錐状または半円形のプロファイルを有するリブ２４４が配置されている。
【００４５】
図２１には、本発明によるパトローネ３００の第３の実施例が示されている。第２の実施例と異なり、いくつかの開口部３３４が種々に形成されている。すなわち、カバー部３３２の開口部は、第１および第２の実施例と同じ形態を有するが、少なくとも部分的には、異なって形成されている。特に、図２２の平面図には、本発明において、２つのスリット状の開口部が縁部に形成されており、それらのスリット状の開口部の間には、２つの矩形状の開口部と楕円形状の開口部２３４とが形成されていることが示されている。カバー部３３２の開口部３３４の総面積は、本発明においてカバー部３３２の面積の５０％である。先の実施例と同様に、弁壁３３６には、対応するロック機構が設けられている。さらに、弁壁３３６の内壁には２つの支持リブ３５０が設けられており、これらの支持リブ３５０は、パトローネに収容される香料キャリア、例えば、香料が添加されたフリースまたはフェルト体等をクランプするのに使用される。もちろん、２つの支持リブ３５０よりも少ないかまたは多い支持リブを設けることもできる。さらに、図２３ａおよび図２３ｂの図面に見られるように、弁壁３３６の反対側の側壁３３３には、対応する支持リブ３５０が配置されている。
【００４６】
図２４ｃおよび図２４ｄの断面図には、カバー部３３２の開口部３３４へのカバー３４１のリブ３４４の係合が行われることが示されている。対応するリブ３４４は、第２の実施例と同様に開口部３３４の形状に合わせられており、この場合、リブ３４４の輪郭または外形は、開口部３３４の輪郭または外形にほぼ対応する。補強のために、カバー３４１の上面には、対応する隆起部または突出部３５１が設けられている。カバー３４１の側縁において、フック状の縁部３４２はカバー部３３２の対応する突出部３４３を囲み、その結果、気密封止が行われる。図２４ａに見られるように、パトローネの前面および後面の側壁３３３は、基部に対して垂直に延びず、カバー部３３２から基部３３１の方向に凸状の湾曲部を備える。このことにより、芳香装置の対応する収容部におけるパトローネ３００の挿入および取り出しが容易になる。
【００４７】
図２４ｅは、ほぼ矩形状のパトローネの本発明においてより長い反対側の２つの側壁が、正確に平行に延びずに形成されていることを示している。比較のために、図２４ｅには、この形状の側壁のずれを示すように、特に、側壁３３３の対応する膨らみを示すように、矩形が示されている。寸法ｘは、両側とも０．５ミリメートルであり、平行度のずれを示している。両方の反対側の側壁３３３の長さにわたって、このことは、側壁３３３の対応する標準間隔のそれぞれが、パトローネの前面および後面から中央に向かって増加し、したがって、中央の膨らみが最大値をとることを意味するとみなす。本発明では、側壁は正確に平行ではないので、標準間隔において、反対側の膨らんだ側壁の２つの点の間のそれぞれの間隔が、前部または後部の側壁３３３に平行に測定されると理解されたい。もちろん、この仕様も全ての実施例に設けることができる。これによって、芳香装置１の収容穴４への挿入が容易になり、特に、クランプ固定が可能になる。その代わりにまたはそれに加えて、収容部へのクランプ固定を改善するために、側面には複数の凹部を設けることもできる。
【符号の説明】
【００４８】
１  芳香装置
２、２００、３００  パトローネ（カートリッジ）
３  ハウジング
４  収容部
５  入口開口部
６  混合室
７  出口開口部
８  弁
９  揺動軸
１０  ステップモータ
１１  ギヤ
１２  コンセント
１３  回転ホイール
１４  運動量発生装置
１５  ばねアーム
１６  案内部
１７  板
１８  つり上げ磁石
１９  ハウジングのシールリップ
２０  放出ばね
３０  パトローネのシールリップ
３１、２３１、３３１  基部
３２、２３２、３３２  カバー部
３３、２３３、３３３  側壁
３４、２３４、３３４  カバー部の開口部
３５  カバー部のフレーム
３７  フレーム
３８  フィルムヒンジ
３９  突出部
４１  カバー
４３  突出部
２３６、３３６  弁壁
２３７  弁壁のフレーム
２３８  フィルムヒンジ
２３９  突出部
２４０  ストリップ
２４１、３４１  カバー
２４２、３４２  フック状の縁部
２４４、３４４  カバーのリブ
３５０  支持リブ
３５１  隆起部
Ｄ１、Ｄ２  香料
【図１】
2010531765.tif 000003
【図２】
2010531765.tif 000004
【図３】
2010531765.tif 000005
【図４】
2010531765.tif 000006
【図５】
2010531765.tif 000007
【図６】
2010531765.tif 000008
【図７】
2010531765.tif 000009
【図８】
2010531765.tif 000010
【図９】
2010531765.tif 000011
【図１０】
2010531765.tif 000012
【図１１】
2010531765.tif 000013
【図１２】
2010531765.tif 000014
【図１３】
2010531765.tif 000015
【図１４】
2010531765.tif 000016
【図１５】
2010531765.tif 000017
【図１６】
2010531765.tif 000018
【図１７】
2010531765.tif 000019
【図１８】
2010531765.tif 000020
【図１９】
2010531765.tif 000021
【図２０ａ】
2010531765.tif 000022
【図２０ｂ】
2010531765.tif 000023
【図２０ｃ】
2010531765.tif 000024
【図２１】
2010531765.tif 000025
【図２２】
2010531765.tif 000026
【図２３ａ】
2010531765.tif 000027
【図２３ｂ】
2010531765.tif 000028
【図２４ａ】
2010531765.tif 000029
【図２４ｂ】
2010531765.tif 000030
【図２４ｃ】
2010531765.tif 000031
【図２４ｄ】
2010531765.tif 000032
【図２４ｅ】
2010531765.tif 000033
【国際調査報告】
2010531765.tif 000034
2010531765.tif 000035
2010531765.tif 000036
2010531765.tif 000037
2010531765.tif 000038
2010531765.tif 000039
2010531765.tif 000040
2010531765.tif 000041
2010531765.tif 000042
2010531765.tif 000043